(57)【特許請求の範囲】
【請求項１】
駆動ビームを供給する駆動ビーム源と、
前記駆動ビームに平行な加速ビームを供給する加速ビーム源と、
前記駆動ビーム及び前記加速ビームの経路に配置された離調高調波キャビティとを備え、
前記駆動ビーム及び前記加速ビームの経路に垂直な前記キャビティの面は、前記駆動ビーム及び前記加速ビームがそれぞれ前記面を通過する入射位置及び出射位置に少なくとも一つの開口を有し、
前記離調高調波キャビティは、その共振周波数が、前記駆動ビームのバンチの周波数と異なる周波数に調整されたキャビティであることを特徴とする２ビーム加速器装置。
【請求項２】
請求項１記載の２ビーム加速器装置であって、
前記離調キャビティは軸対称のキャビティであり、前記駆動ビーム及び前記加速ビームはコリニアであり、
前記キャビティは、前記駆動ビーム及び前記加速ビームの経路に垂直な前記キャビティの面に、前記キャビティの両側各々に一つの開口を有することを特徴とする２ビーム加速器装置。
【請求項３】
請求項２記載の２ビーム加速器装置であって、
前記離調キャビティは、円筒状ピルボックス形状に対して径方向延出部を有するように変形された変形ピルボックス形状に形成され、前記径方向延出部の端壁は正弦曲線プロファイルで形成されていることを特徴とする２ビーム加速器装置。
【請求項４】
請求項１記載の２ビーム加速器装置であって、
前記キャビティは６面の共振キャビティであり、
前記駆動ビーム及び前記加速ビームの経路に垂直な前記キャビティの面は、矩形で、かつ、前記駆動ビーム及び前記加速ビームがそれぞれ前記面と交わる位置に、第１開口及び第２開口を有し、
前記第１開口及び前記第２開口の中央は、前記面の長さの４分の１をｄとする距離２ｄで長さ方向に離間され、最も接近する側壁から距離ｄで長さ方向に離間され、側壁間で幅方向に等しく離間されていることを特徴とする２ビーム加速器装置。
【請求項５】
請求項１又は２記載の２ビーム加速器装置であって、
前記駆動ビームは、駆動ビーム電流と約９０°位相がずれる駆動ビーム電圧を有し、
前記加速ビームは、前記駆動ビーム電圧と略同じ位相である加速ビーム電流と、前記駆動ビーム電流と約１８０°位相がずれる加速ビーム電圧とを有することを特徴とする２ビーム加速器装置。
【請求項６】
請求項１記載の２ビーム加速器装置であって、
前記駆動ビーム及び前記加速ビームの経路に垂直な前記共振キャビティの面の長さと幅は、２：１又は２．５８２：１の比を有することを特徴とする２ビーム加速器装置。
【請求項７】
請求項１又は２記載の２ビーム加速器装置であって、
前記共振キャビティは２〜４ｍｍの範囲の厚さを有する壁を備えることを特徴とする２ビーム加速器装置。
【請求項８】
請求項１又は２記載の２ビーム加速器装置であって、
前記共振キャビティは銅からなることを特徴とする２ビーム加速器装置。
【請求項９】
請求項１又は２記載の２ビーム加速器装置であって、
複数の隣り合う共振キャビティを含むキャビティセットをさらに備えることを特徴とする２ビーム加速器装置。
【請求項１０】
請求項９記載の２ビーム加速器装置であって、
前記共振キャビティの各々は前記キャビティを形成するために結合する多数のピースからなり、
前記加速器は、
前記共振キャビティを形成するように各共振キャビティのピースを保持すると共に該共振キャビティの相互の位置を維持する保持デバイスと、
前記キャビティセットを囲むポンピングマニホールドとをさらに備えることを特徴とする２ビーム加速器装置。
【請求項１１】
請求項１又は２記載の２ビーム加速器装置であって、
前記２つのビームの進行方向に平行する前記キャビティの寸法が次のＩ２及びＩ３を最小化することを特徴とする２ビーム加速器装置。
【数１】
0005689076.tif 000015
【数２】
0005689076.tif 000016
ここで、Ｇは前記共振キャビティの加速勾配であり、Ｅは前記共振キャビティのピーク電界であり、ｔは時間であり、Ｔは効率的なパルス幅である。
【請求項１２】
請求項１記載の２ビーム加速器装置であって、
４つの磁石と、前記４つの磁石の中央にある中央経路と、前記４つの磁石の一つにある開口とを有する変形４極磁石をさらに備え、
前記開口は磁性材料でライニングされたチャネルを含むことを特徴とする２ビーム加速器装置。
【請求項１３】
粒子ビームを加速する方法であって、
駆動ビームを供給する工程と；
前記駆動ビームに平行な加速ビームを供給する工程と；
前記駆動ビーム及び前記加速ビームを、前記駆動ビーム及び前記加速ビームの経路に配置された離調高調波キャビティを通過させる工程とを備え、
前記駆動ビーム及び前記加速ビームの経路に垂直な前記キャビティの面は、前記駆動ビーム及び前記加速ビームがそれぞれ前記面を通過する位置で、前記キャビティの両側各々に少なくとも一つの開口を有し、
前記離調高調波キャビティは、その共振周波数が、前記駆動ビームのバンチの周波数と異なる周波数に調整されたキャビティであることを特徴とする方法。
【請求項１４】
請求項１３記載の方法であって、
前記離調キャビティは軸対称のキャビティであり、前記駆動ビーム及び前記加速ビームはコリニアであり、
前記キャビティは、前記駆動ビーム及び前記加速ビームの経路に垂直な前記キャビティの面に、前記キャビティの両側各々に一つの開口を有することを特徴とする方法。
【請求項１５】
請求項１４記載の方法であって、
前記離調キャビティは、円筒状ピルボックス形状に対して径方向延出部を有するように変形された変形ピルボックス形状に形成され、前記径方向延出部の端壁は正弦曲線プロファイルで形成されていることを特徴とする方法。
【請求項１６】
請求項１３記載の方法であって、
前記キャビティは前記駆動ビーム及び前記加速ビームの経路に配置された６面の共振キャビティであり、
前記駆動ビーム及び前記加速ビームの経路に垂直な前記キャビティの面は、矩形で、かつ、前記駆動ビーム及び前記加速ビームがそれぞれ前記面を通過する位置に、第１開口及び第２開口を有し、
前記第１開口及び前記第２開口の中央は、前記面の長さの４分の１をｄとする距離２ｄで長さ方向に離間され、最も接近する側壁から距離ｄで長さ方向に離間され、側壁間で幅方向に等しく離間されていることを特徴とする方法。
【請求項１７】
請求項１３又は１４記載の方法であって、
前記駆動ビームは、駆動ビーム電流と約９０°位相がずれる駆動ビーム電圧を有し、
前記加速ビームは、前記駆動ビーム電圧と略同じ位相である加速ビーム電流と、前記駆動ビーム電流と約１８０°位相がずれる加速ビーム電圧とを有することを特徴とする方法。
【請求項１８】
請求項１３又は１４記載の方法であって、
前記駆動ビーム及び前記加速ビームを、互いに隣り合うように配置された複数の共振キャビティを含むキャビティセットを通過させる工程をさらに備えることを特徴とする方法。
【請求項１９】
請求項１３記載の方法であって、
前記駆動ビーム及び前記加速ビームを、４つの磁石の一つにある、磁性材料でライニングされるチャネルを含む開口を有する変形４極磁石を通過させる工程をさらに備え、
前記駆動ビーム及び前記加速ビームを、変形４極磁石を通過させる工程は、
前記駆動ビーム及び前記加速ビームの一方を、前記４極磁石の前記中央を通過させ、かつ、前記駆動ビーム及び前記加速ビームの他方を、前記磁石の開口にライニングされたチャネルを通過させることを含むことを特徴とする方法。
【請求項２０】
請求項１３又は１４記載の方法であって、
前記駆動ビーム及び前記加速ビームを同じ方向に駆動する工程をさらに備えることを特徴とする方法。
【請求項２１】
請求項１３又は１４記載の方法であって、
前記駆動ビーム及び前記加速ビームを反対方向に駆動する工程をさらに備えることを特徴とする方法。
【請求項２２】
請求項１３又は１４記載の方法であって、
前記離調キャビティを励起するとき、前記駆動ビームで位相固定された先行パルス駆動ビーム電流を駆動することにより、前記キャビティが初期励起から定常状態に達するまでの時間である充填時間を減少する工程をさらに備えることを特徴とする方法。
【請求項２３】
請求項１３又は１４記載の方法であって、
前記離調キャビティを励起するとき、前記駆動ビームのビームプロファイルの振幅と位相の少なくとも一つを変更することにより、前記キャビティが初期励起から定常状態に達するまでの時間である充填時間を減少する工程をさらに備えることを特徴とする方法。
【請求項２４】
変形４極磁石を備える、第１粒子ビーム及び第２粒子ビームを有する２ビーム粒子加速器の集束装置であって、
前記変形４極磁石は、
４つの磁石と；
中央の開口と；
前記第１粒子ビームを通過させるように構成された前記中央の開口中のチャネルと； 
前記チャネルを囲む非磁性材料と；
前記４つの磁石の一つにある開口と；
前記第２粒子ビームを通過させるように構成された前記磁石にある開口中の第２チャネルと；
前記第２チャネルを囲む非磁性材料と；
前記第２チャネルの非磁性材料の内側をライニングする磁性材料とを含むことを特徴とする集束装置。
【請求項２５】
第１粒子ビーム及び第２粒子ビームを有する２ビーム粒子加速器のビームを集束する方法であって、
４つの磁石と；中央の開口と；前記中央の開口中のチャネルと；前記チャネルを囲む非磁性材料と；前記４つの磁石の一つにある開口と；前記磁石にある開口中の第２チャネルと；前記第２チャネルを囲む非磁性材料と；前記第２チャネルの非磁性材料の内側をライニングする磁性材料とを含む第１の変形４極磁石を供給する工程と、
同時に、前記第１の変形４極磁石において、前記第１粒子ビームを、前記中央の開口を通過させ、前記第２粒子ビームを、前記第２チャネルを通過させる工程と、
前記第１の変形４極磁石と直列な、第２及び第３の変形４極磁石を供給する工程と、
前記第１粒子ビームを、前記第２及び第３の変形４極磁石の中央の開口中のチャネルを通過させる工程と、
前記第２粒子ビームを、前記第２及び第３の変形４極磁石の第２チャネルを通過させる工程とを備えることを特徴とする方法。
【発明の詳細な説明】
【背景技術】
【０００１】
本特許出願は、２００９年１月２２日付で出願した、発明の名称を"MULTI-MODE, MULTI-FREQUENCY, TWO- BEAM ACCELERATING STRUCTURE"とする米国仮出願第６１／１４６，５８１号と、２０１０年１月２１日付で出願した、発明の名称を"HIGH GRADIENT TWO-BEAM ACCELERATOR STRUCTURE"とする米国仮出願第６１／２９７，０５７号の優先権を主張するものである。２つの仮出願の内容全体はここに参照することにより明細書に組み込まれる。
【０００２】
粒子加速器は、現在利用できる情報を超えた、重要な基礎科学情報を提供する研究に役立っている。粒子加速器はまた、内科治療及び原子力発電に応用されている。大型ハドロン衝突型加速器（ＬＨＣ：Large Hadron Collider）に加えて、コンパクトリニアコライダー（ＣＬＩＣ：Compact Linear Collider）がヨーロッパ合同原子核研究機関（ＣＥＲＮ：European Organization for Nuclear Research）で提案された。ＣＬＩＣは、ＬＨＣよりも高い数ＴｅＶという計画されたエネルギーを達成するために、異なる技術を用いる。従来の線形加速器は、クライストロン（klystrons）と呼ばれる装置によって作り出されるメインビームを加速するため、高周波（ＲＦ）電力を使用する。これにより、高周波が形成される。しかしながら、クライストロンは大量の高周波電力を使用し、かつ、従来の機器では３ＴｅＶに到達するために多くのクライストロンを要求していた。
【０００３】
代わりに、ＣＬＩＣ案は、陽電子及び電子のビームを衝突させるために用いられる、高電流低エネルギーの駆動ビームから低電流高エネルギーの加速ビーム（加速器ビームともいう）にエネルギーを伝達する結合ＲＦキャビティを備える、２ビーム加速器の利用を含む。従って、高強度低エネルギー駆動ビームはメイン線形加速器ビームと平行し、そして駆動ビームに蓄積される出力は一気に加速器ビームに伝達され得る。これは特殊な出力抽出構造体（ＰＥＴＳ）において駆動ビームを減速することによって行なわれ、そして発電したＲＦ出力はメインビームに伝達される。これにより、中央インジェクタ複合体において作り出され、線形加速器に従って伝達される加速器ビームと、駆動ビームとのシンプルなトンネルレイアウトが可能になる。
【０００４】
このような設計により、加速が、国際リニアコライダー（ＩＬＣ：International Linear Collider）デザインの多くの従来の加速キャビティよりも、短い長さの装置で、かなり高いエネルギー（３〜５ＴｅＶ）に到達できることが期待される。図１及び図２は、ＣＬＩＣデザインの態様を示す。ＣＬＩＣに関するさらなる情報は、非特許文献１及び非特許文献２で見られ、その２つの内容全体は参照することにより明細書に組み込まれる。
【０００５】
提案されたＣＬＩＣデザインはトンネルのレイアウトを簡素化したけれども、このような高エネルギーはビームを囲む金属キャビティの破壊を引き起こす可能性がある。提案されたデザインは、電界が高くなり、電子及び原子が金属キャビティから引き出される場合、１００ＭＶ／ｍを超える加速電界に対して機能しないことがある。この結果、加速器の構成部材に劣化を引き起こす。さらに、ＣＬＩＣデザインは、非常に複雑であり、多くの複雑な構成部材、例えば、ＰＥＴＳや増設の伝達構造体を必要とする。
【０００６】
従って、粒子加速器の技術分野において、加速器キャビティ又は加速器周囲の構造体の破壊や劣化を引き起こすことなく、加速器の電界が高レベルで維持されることができるというニーズが存在する。
【先行技術文献】
【非特許文献】
【０００７】
【非特許文献１】http://clic-study.web.cern.ch/CLIC-Study/
【非特許文献２】http://preprints.cern.ch/yellowrep/2000/2000-008/pl.pdf
【発明の概要】
【０００８】
本発明の態様は、加速器構造体と、加速器の構成部材を劣化させることなく高い電界を使用できる方法とを提供することによって、前記技術分野のニーズにこたえる。シングルモード又はマルチモードを有する共振キャビティに、駆動ビーム及び加速ビームを照射することにより高電界の露出時間を減少させることによって、破壊限界を大きくする（広げる）。好ましい伝達比は、共振キャビティに関連する離調によって達成され得る。態様では、高伝達比の達成を可能にするために、共振から離調する複数の調和関係にあるモードの駆動ビームによって励起されるキャビティを有する２ビーム加速器のＲＦキャビティ構造体を含む。キャビティの電界は、駆動ビーム及び加速ビームの経路に関して対称であってもよい。
【０００９】
本発明の態様はまた、２ビーム加速器のビームの焦点調節を可能にする変形４極磁石を提供することによって、前記技術分野のニーズにこたえる。
【００１０】
態様は、駆動ビームを供給する駆動ビーム源と、前記駆動ビームに平行な加速ビームを供給する加速ビーム源と、前記駆動ビーム及び前記加速ビームの経路に配置された離調高調波キャビティとを備え、前記駆動ビーム及び前記加速ビームの経路に垂直な前記キャビティの面は、前記駆動ビーム及び前記加速ビームがそれぞれ前記面を通過する入射位置及び出射位置に少なくとも一つの開口を有する２ビーム加速器装置を含むことが可能である。なお、前記離調高調波キャビティは、その共振周波数が、前記駆動ビームのバンチの周波数と異なる周波数に調整されたキャビティである。
【００１１】
さらに、態様は、軸対称のキャビティであり、前記駆動ビーム及び前記加速ビームはコリニアである離調キャビティであって、前記駆動ビーム及び前記加速ビームの経路に垂直な前記キャビティの面に、前記キャビティの両側各々に一つの開口を有するキャビティを含むことが可能である。
【００１２】
さらに、態様は、正弦曲線プロファイルの平面壁を有する変形ピルボックス形状を有する離調キャビティを含むことが可能である。具体的には、前記離調キャビティは、円筒状ピルボックス形状に対して径方向延出部を有するように変形された変形ピルボックス形状に形成され、前記径方向延出部の端壁は正弦曲線プロファイルで形成されている。
【００１３】
さらに、態様は、６面の共振キャビティであるキャビティと、矩形で、かつ、前記駆動ビーム及び前記加速ビームがそれぞれ前記駆動ビーム及び前記加速ビームの経路に垂直な前記キャビティの面と交わる位置に第１開口及び第２開口を有する、前記キャビティの面とを含み、前記第１開口及び前記第２開口の中央は、前記面の長さの４分の１をｄとする距離２ｄで長さ方向に離間され、最も接近する側壁から距離ｄで長さ方向に離間され、側壁間で幅方向に等しく離間されることが可能である。
【００１４】
さらに、態様は、駆動ビーム電流と約９０°位相がずれる駆動ビーム電圧を有する駆動ビームと、前記駆動ビーム電圧と略同じ位相である加速ビーム電流と、前記駆動ビーム電流と約１８０°位相がずれる加速ビーム電圧とを有する加速ビームとを含むことが可能である。
【００１５】
さらに、態様は、２：１、２．５８２：１又は２：１．２９１の比を有する、前記駆動ビーム及び前記加速ビームの経路に垂直な前記共振キャビティの面の長さ及び幅と、２〜４ｍｍの範囲の厚さを有する壁を備え、金属、例えば、銅からなる共振キャビティと、次のＩ２及びＩ３を最小化する、２つのビームの進行方向に平行する前記キャビティの寸法とを含むことが可能である。
【数１】
0005689076.tif 000002
【数２】
0005689076.tif 000003
ここで、Ｇは前記共振キャビティの加速勾配であり、Ｅは前記共振キャビティのピーク電界であり、ｔは時間であり、Ｔは効率的なパルス幅である。
【００１６】
さらに、前記２ビーム加速器装置は、複数の隣り合う共振キャビティを含むキャビティセットを備えることが可能である。共振キャビティの各々は、多数のピース、及び、前記キャビティを形成するために各共振キャビティのピースを一つに保持し、互いに前記共振キャビティの位置を維持する保持デバイス、及び／又は、前記キャビティセットを囲むポンピングマニホールドを備えることが可能である。
【００１７】
さらに、２ビーム加速器装置は、加速ビームと同じ方向に進行する駆動ビーム、又は、加速ビームの方向と反対方向に進む駆動ビームを含むことが可能である。
【００１８】
さらに、２ビーム加速器装置は、例えば、４つの磁石と、４つの磁石の中央にある中央経路と、磁石の一つの中にあり、磁性材料でライニングされたチャネルを含む開口とを有する変形４極磁石等の、集束装置を含むことが可能である。
【００１９】
さらに、態様は、駆動ビームを供給する工程と；前記駆動ビームに平行な加速ビームを供給する工程と；前記駆動ビーム及び前記加速ビームを、前記駆動ビーム及び前記加速ビームの経路に配置された離調高調波キャビティを通過させる工程とを備える粒子ビームを加速する方法であって、前記駆動ビーム及び前記加速ビームの経路に垂直な前記キャビティの面は、前記駆動ビーム及び前記加速ビームがそれぞれ前記面を通過する位置で、前記キャビティの両側各々に少なくとも一つの開口を有する方法を含むことが可能である。なお、前記離調高調波キャビティは、その共振周波数が、前記駆動ビームのバンチの周波数と異なる周波数に調整されたキャビティである。
【００２０】
さらに、態様は、軸対称のキャビティである離調キャビティを含むことが可能である。前記駆動ビーム及び前記加速ビームはコリニアであり、前記キャビティは、前記駆動ビーム及び前記加速ビームの経路に垂直な前記キャビティの面に、前記キャビティの両側各々に一つの開口を有する。
【００２１】
さらに、態様は、正弦曲線プロファイルの平面壁を有する変形ピルボックス形状を有する離調キャビティを含むことが可能である。具体的には、前記離調キャビティは、円筒状ピルボックス形状に対して径方向延出部を有するように変形された変形ピルボックス形状に形成され、前記径方向延出部の端壁は正弦曲線プロファイルで形成されている。
【００２２】
さらに、態様は、前記駆動ビーム及び前記加速ビームの経路に配置された６面の共振キャビティであるキャビティと、矩形で、かつ、前記駆動ビーム及び前記加速ビームがそれぞれ前記駆動ビーム及び前記加速ビームの経路に垂直な前記キャビティの面を通過する位置に第１開口及び第２開口を有する、前記キャビティの面とを含むことが可能である。前記第１開口及び前記第２開口の中央は、前記面の長さの４分の１をｄとする距離２ｄで長さ方向に離間され、最も接近する側壁から距離ｄで長さ方向に離間され、側壁間で幅方向に等しく離間されている。
【００２３】
さらに、態様は、駆動ビーム電流と約９０°位相がずれる駆動ビーム電圧を有する駆動ビームと、前記駆動ビーム電圧と略同じ位相である加速ビーム電流、及び、前記駆動ビーム電流と約１８０°位相がずれる加速ビーム電圧を有する加速ビームとを含むことが可能である。
【００２４】
さらに、態様は、２：１、２．５８２：１又は２：１．２９１の比を有する、前記駆動ビーム及び前記加速ビームの経路に垂直な前記共振キャビティの面の長さ及び幅と、２〜４ｍｍの範囲の幅を有する壁を備える共振キャビティと、金属、例えば、銅からなる共振キャビティと、次のＩ２及びＩ３を最小化する、２つのビームの進行方向に平行する前記キャビティの寸法とを含むことが可能である。
【数３】
0005689076.tif 000004
【数４】
0005689076.tif 000005
ここで、Ｇは前記共振キャビティの加速勾配であり、Ｅは前記共振キャビティのピーク電界であり、ｔは時間であり、Ｔは効率的なパルス幅である。
【００２５】
さらに、態様は、前記駆動ビーム及び前記加速ビームを、互いに隣り合うように配置された複数の共振キャビティを含むキャビティセットを通過させる工程と；前記駆動ビーム及び前記加速ビームを、集束装置、例えば、４つの磁石の一つにある、磁性材料でライニングされたチャネルを含む開口を有する変形４極磁石を通過させる工程とを含むことが可能である。さらに、本方法は、前記駆動ビーム及び前記加速ビームの一方を４極磁石の中央を通過させ、前記駆動ビーム及び前記加速ビームの他方を磁石の開口の中のライニングされたチャネルを通過させる工程；及び／又は、前記駆動ビーム及び前記加速ビームを、第２の集束装置、例えば、４つの磁石の一つにある、磁性材料でライニングされた第２のチャネルを含む開口を有する第２の変形４極磁石を通過させる工程を含むことが可能である。さらに、本方法は、前記駆動ビーム及び前記加速ビームの他方を第２の４極磁石の中央を通過させる工程と、駆動ビーム又は加速ビームを第２の変形４極磁石の磁石にある開口中の第２のライニングされたチャネルを通過させる工程とを備えることが可能である。
【００２６】
さらに、態様は、前記離調キャビティを励起するとき、駆動ビームで位相固定される先行パルス駆動ビーム電流を駆動することにより、及び／又は、駆動ビームのビームプロファイルの振幅及び位相の少なくとも一つを変更することによって、充填時間を減少する工程を含むことが可能である。なお、充填時間は、前記キャビティが初期励起から定常状態に達するまでの時間である。
【００２７】
さらに、本方法は、駆動ビーム及び加速ビームを同じ方向に駆動する工程、又は、駆動ビーム及び加速ビームを反対方向に駆動する工程を含むことが可能である。
【００２８】
さらに、態様は、変形４極磁石を備える、第１粒子ビーム及び第２粒子ビームを有する２ビーム粒子加速器の集束装置であって、前記変形４極磁石は、４つの磁石と；中央の開口と；前記第１粒子ビームを通過させるように構成された前記中央の開口中のチャネルと；前記チャネルを囲む非磁性材料と；前記４つの磁石の一つにある開口と；前記第２粒子ビームを通過させるように構成された前記磁石にある開口中の第２チャネルと；前記第２チャネルを囲む非磁性材料と；前記第２チャネルの非磁性材料の内側をライニングする磁性材料とを含む集束装置を含むことが可能である。
【００２９】
さらに、集束装置は、前記第１の変形４極磁石と直列な、第２及び第３の変形４極磁石を備えることが可能である。第１、第２及び第３の変形４極磁石の各々は、第１粒子ビームが第１、第２及び第３の変形４極磁石の中央の開口のチャネルを通過し、第２粒子ビームが第１、第２及び第３の変形４極磁石ごとの４つの磁石の一つの中のチャネルを通過するように位置付けされる。
【００３０】
さらに、集束装置は、前記第１、第２及び第３の変形４極磁石と直列な、第４、第５及び第６の変形４極磁石を備えることが可能である。第４、第５及び第６の変形４極磁石は、第２粒子ビームが第４、第５及び第６の変形４極磁石の中央の開口のチャネルを通過し、第１粒子ビームが第４、第５及び第６の変形４極磁石ごとの４つの磁石の一つの中のチャネルを通過するように位置付けされる。
【００３１】
さらに、態様は、第１粒子ビーム及び第２粒子ビームを有する２ビーム粒子加速器のビームを集束する方法であって、４つの磁石と；中央の開口と；前記中央の開口中のチャネルと；前記チャネルを囲む非磁性材料と；前記４つの磁石の一つにある開口と；前記磁石にある開口中の第２チャネルと；前記第２チャネルを囲む非磁性材料と；前記第２チャネルの非磁性材料の内側をライニングする磁性材料とを含む第１の変形４極磁石を供給する工程と、同時に、前記第１の変形４極磁石において、前記第１粒子ビームを、前記中央の開口を通過させ、前記第２粒子ビームを、前記第２チャネルを通過させる工程とを備える方法を含むことが可能である。
【００３２】
さらに、態様は、前記第１の変形４極磁石と直列な、第２及び第３の変形４極磁石を供給する工程と、前記第１粒子ビームを、前記第２及び第３の変形４極磁石の中央の開口中のチャネルを通過させる工程と、前記第２粒子ビームを、前記第２及び第３の変形４極磁石の第２チャネルを通過させる工程とを含むことが可能である。
【００３３】
さらに、本方法は、前記第１、第２及び第３の変形４極磁石と直列な、第４、第５及び第６の変形４極磁石を供給する工程と；前記第２粒子ビームを、前記第４、第５及び第６の変形４極磁石の中央の開口中のチャネルを通過させる工程と；前記第１粒子ビームを、前記第４、第５及び第６の変形４極磁石の第２チャネルを通過させる工程とを含むことが可能である。
【００３４】
上述の目的及び関連した目標の達成に対して、１以上の態様が、明細書において十分に説明され、かつ、特に特許請求の範囲に挙げられた形態を含む。以下の記載及び添付図面は１以上の態様の特定の例示的形態を詳細に説明する。しかしながら、これらの形態は、様々な態様の原理を用いることが可能な様々な方法の一部のみを示している。そして、本記載には、そのような態様のすべてとその均等物を含むことが意図される。
【図面の簡単な説明】
【００３５】
【図１】ＣＬＩＣ加速器の態様を示す。
【図２】ＣＬＩＣ加速器の態様を示す。
【図３ａ】本発明の態様の電界に対する単一の高調波パターンを示す。
【図３ｂ】本発明の態様の電界に対する３つのモードの高調波パターンを示す。
【図４ａ】本発明の態様の電界に対する高調波パターンを示す。
【図４ｂ】本発明の態様の電界に対する高調波パターンを示す。
【図４ｃ】本発明の態様の電界に対する高調波パターンを示す。
【図４ｄ】本発明の態様の電界に対する高調波パターンを示す。
【図４ｅ】本発明の態様の電界に対する高調波パターンを示す。
【図４ｆ】本発明の態様の電界に対する高調波パターンを示す。
【図５】本発明の態様のピーク電界への露出時間の減少を示す。
【図６ａ】本発明の態様の箱型キャビティにおける奇数高調波モードを示す。
【図６ｂ】本発明の態様の箱型キャビティにおける偶数高調波モードを示す。
【図７】本発明の態様の例示的キャビティを示す。
【図８】本発明の態様の例示的キャビティを示す。
【図９】本発明の態様の例示的キャビティの断面図を示す。
【図１０】本発明の態様の例示的キャビティの、ピーク電界に対する加速ビーム及び駆動ビームの配置を示す。
【図１１】本発明の態様の例示的キャビティ内の例示的電界を示す。
【図１２】本発明の態様の例示的キャビティ内の例示的磁界を示す。
【図１３ａ】本発明の態様の例示的キャビティの、損失のないキャビティの離調を示す。
【図１３ｂ】本発明の態様の例示的キャビティの、損失のあるキャビティの離調を示す。
【図１４ａ】本発明の態様の離調した駆動ビーム粒子バンチによって起こる電界を示す。
【図１４ｂ】本発明の態様の離調した加速ビーム粒子バンチによって起こる電界を示す。
【図１５】本発明の態様の多数のピースからなる例示的キャビティの表面を示す。
【図１６】本発明の態様の多数のキャビティの横断面を示す。
【図１７】本発明の態様の多数のキャビティの横断面を示す。
【図１８ａ】本発明の態様の様々なモードに対する例示的算出因子Ｉ２を示す。
【図１８ｂ】本発明の態様の様々なモードに対する例示的算出因子Ｉ３を示す。
【図１９ａ】本発明の態様の非正方形キャビティに対する例示的寸法を示す。
【図１９ｂ】本発明の態様の非正方形キャビティに対する例示的寸法を示す。
【図２０ａ】本発明の態様の円筒状キャビティを示す。
【図２０ｂ】本発明の態様の円筒状キャビティを示す。
【図２１】本発明の態様の円筒状キャビティを示す。
【図２２】本発明の態様の円筒状キャビティ内の電界を示す。
【図２３】本発明の態様の２ビーム加速器のビーム集束用の変形４極磁石を示す。
【図２４】本発明の態様の加速器を示す。
【図２５】本発明の態様の加速器を示す。
【図２６ａ】本発明の態様の、充填時間を減少するための例示的態様を示す。
【図２６ｂ】本発明の態様の、充填時間を減少するための例示的態様を示す。
【図２６ｃ】本発明の態様の、充填時間を減少するための例示的態様を示す。
【図２７】加速キャビティのパラメータ間の相互関係を示す。
【図２８】本発明の態様の電子加速器に一例の例示的パラメータを示す。
【図２９】本発明の態様の陽子加速器の一例の例示的パラメータを示す。
【図３０】本発明の態様の陽子加速器の一例の例示的パラメータを示す。
【図３１】本発明の態様の陽子加速器の一例の例示的パラメータを示す。
【発明を実施するための形態】
【００３６】
開示した態様は、開示した態様を説明して限定しない図面とともに説明され、図面中の同様の符号は同様のエレメント示す。
図を参照して様々な実施形態を説明する。以下の説明において、説明のために、多くの具体的な詳細事項が１以上の実施形態の理解を与えるために記載されている。しかしながら、そのような態様は、これらの具体的な詳細事項によらずに実施されてもよいことは明らかであろう。
【００３７】
上述の通り、加速勾配を制限する破壊に関連する問題は、粒子加速器に主な原因がある。破壊の可能性は、加速器の構成部材が曝される電界の強度と、そのピーク電界に曝される時間とによって決まる。ピーク磁界に曝される時間が短ければ、キャビティ面で低減されたパルスの加熱を引き起こし、この結果、加速器の構成部材の破壊及び劣化を減らす。
【００３８】
このような劣化を回避するために、必要なときのみ加速電界を強め、それ以外では弱めることができる方法で、粒子を加速する加速電界が形成されるような離調型加速器の構成体に、シングルモード又はマルチモードの加速キャビティを組み込むことができる。従って、ＲＦ界が各基本ＲＦ周期のほんの一部の期間のみでそのピーク値に到達するように、キャビティは複数の調和関係にある固有モードにおいて励起される。本発明の態様は、特に、電子、陽電子、μ中間子、プロトン、重イオンのビームの加速用に使用されることが可能である。この点は破壊及びパルス加熱の閾値を上昇させるのに役立つ。さらに、２つのビームは同じキャビティを行き来する（traverse）ので、駆動ビームから加速ビームにＲＦエネルギーを結合させるための伝達エレメントは必要ない。
【００３９】
図３ａは、単一正弦波の高調波パターンを示す。キャビティを介して粒子バンチ（particle bunch）の通過する間のわずかな時間のみ、ＲＦエネルギーを粒子バンチに焦点をあわせる。高調波のエネルギー波は、粒子バンチと相互作用するのに必要な位置で、最大値３０に到達する。図３ｂは、３つの高調波を用いた加速用ＲＦエネルギーパターンを示す。
【００４０】
図４ｂ〜図４ｆは、複数の高調波が重ね合わされたときの低減された露出時間を示す。図４ａは、図４ｂ〜図４ｆの各々に対して、横軸が時間を表し、縦軸が電界の強度を表すことを示す。例えば、図４ｂは、単一の高調波に対して、電界に対する露出時間を示す。各曲線に対して、露出時間のパーセンテージは、最も強度の大きい電界の、９５％、９０％及び８０％への露出に対して記載されている。すなわち、Ｔ０．９５は最も強度の大きい電界の９５％に曝されている露出時間のパーセンテージであり、Ｔ０．９０は最も強度の大きい電界の９０％に曝されている露出時間のパーセンテージであり、Ｔ０．８０は最も強度の大きい電界の８０％に曝されている露出時間のパーセンテージである。
【００４１】
図４ｃ及び図４ｅは、様々な２つの高調波の重ね合わせを使用した実施例を示す。図４ｄ及び図４ｆは、３つの高調波の重ね合わせを使用した実施例を示す。最も強度の強い電界の９５％である電界に曝されている露出時間は、単一の高調波の２０％に対して６％に減少されている。同様に、最も強度の強い電界の９０％への露出は、単一の高調波の２９％に対して９％に、最も強度の強い電界の８０％への露出は、単一の高調波の４１％に対して１２％に減少されている。従って、多数の高調波の重ね合わせ、例えば、図４ｆに示した３つの高調波の重ね合わせによって、強い電界への露出時間の大きさを劇的に減少することができる。
【００４２】
図５は、図４ｂの単一の高調波と、図４ｆの３つの高調波の場合の露出時間の大きさを示すグラフを表す。第１の網掛け領域５０１、５０２及び５０３はそれぞれ、単一の高調波の最も強い電界の、９５％以上、９０％以上、８０％以上の大きさを示す。
【００４３】
領域５０４、５０５、５０６は同様に、それぞれ、３つの高調波の最も強い電界の、９５％以上、９０％以上、８０％以上の大きさを示す。
【００４４】
従って、これらのグラフは、電界エネルギーにおいて多数の高調波が有益に露出時間の大きさを減少することにより、破壊の欠点を有することなく、さらなる高電界の利用を支援するということを示す。
【００４５】
マルチモードキャビティを有するために、キャビティは高調波のスペクトルを有さなければならない。各モードは、周期的な干渉処理をするために、同じ周波数の間隔で互いに離間される必要がある。この種のスペクトルを有する最もシンプルなキャビティは、ＴＭｉｉ０モードで動作する辺長ａの箱型キャビティであり、その固有周波数はｆｉｉ０＝ｉｃ／√２ａで与えられる。これらのモード間の周波数分離は、最も低いモードの固有周波数ｆ１１０＝ｃ／√２ａで与えられる。偶数ｉのモードは軸上に零電界を有し、そして軸上でビームと相互作用しない。ビームと相互作用するモードは、周波数ｆ、３ｆ、５ｆ、…等を有する。図６ａ及び図６ｂは、箱型キャビティの奇数モードと偶数モードを示す。
【００４６】
矩形又は箱型のキャビティを用いた一実施例はまた、２ボックスキャビティ（two-box cavity）、２セルキャビティ（two-cell cavity）、デュアルボックスキャビティ（dual-box cavity）として、明細書において同じ意味で言及されている。そして、共振キャビティは、共通壁を取り除かれた２つのボックスとして構成された、６面キャビティを備える。従って、キャビティはともに設置された２つのボックスの外側寸法を有する、６面の箱型キャビティであってもよい。キャビティは、駆動ビームと加速ビームの経路に沿って、２ビーム加速器内に設置される。ビーム経路に垂直なボックス表面は、駆動ビームのチャネルと加速ビームのチャネルのための開口を含む。図７は、開口７０１を有するキャビティ７００の表面を示す。点線は、キャビティ７００が２つのボックスと、破線で示されるように各ボックスの中央に位置するビームチャネルのための開口７０１と、また破線で示されるように取り除かれた共通壁７０２とからなることを示す。キャビティの他の表面は実質的に孔が開いていない（solid）。各ビームチャネルは、キャビティを形成するそれぞれの「ボックス」の一つの中央を通るように位置付けられている。
【００４７】
従って、図７が示すように、長さ方向に、各ビームの開口は、最も接近する壁から距離ｄ、他のビームから距離２ｄに離間される。換言すれば、壁からの距離は、長さ方向に、ｄ及び３ｄである。ビームの開口は、幅方向に、壁から等距離である。
【００４８】
真空ポンプ及び集束光学部品を本発明の態様の２ビーム加速器に含むことはできるが、マイクロ波の外部放射源、外部ＲＦ源、又は、駆動チャネルと加速器チャネルの間の伝達構造の必要はない。キャビティは、離調した駆動ビームと加速ビームをキャビティに通すことにより、加速ビームにエネルギーを与えるように構成されている。
【００４９】
図８に示すように、キャビティの横寸法である、長さｌと幅ｗは、モードの周波数を制御する。一実施例では、長さは１４１．３２４ｍｍであり、幅は７０．６６２ｍｍである。いつくかの実施例では、長さが幅の２倍であり、かつ、幅が箱型ボックスの一面と長さが同じであることに留意されたい。一方、図７に関連して上記のように、長さは２つの箱型ボックスの長さに包含される。従って、キャビティの他の横寸法は、キャビティの長さ：幅の比に対して、２：１の比が使用され得る。図８に示すように、２つのビームは、お互いに約７ｃｍの距離を保ち、キャビティを通過する。矢印は駆動ビームと加速ビームが反対方向に駆動されることを示すけれども、駆動ビームと加速ビームはまた、同じ方向に駆動されてもよい。
【００５０】
他の実施例は、軸対称のキャビティ又は円筒状のキャビティ、例えば、以下に詳説する変形ピルボックス型キャビティ等を含んでもよい。円筒は、例えば、旋盤等を用いて容易に組み立てられ、スムーズかつ素早く曲げられるが、ボックスを形成するのは困難であり、大規模な機械加工を要求する。円筒状のキャビティはまた、望ましくない鋭利な角を回避する。その上、モードのスペクトルは非矩形のキャビティで造るのが容易ではなく、実施例は変形ピルボックス型キャビティに関してさらに詳説される。
【００５１】
図８において、キャビティのギャップ幅はｈとして示される。ギャップ幅ｈはモードの周波数を決定しないけれども、ギャップは駆動ビーム及び加速ビームがキャビティを通過するとき、両ビームの粒子が進む距離である。最適なギャップ幅は、キャビティに用いられるモードの数により変化する。例えば、長さ１４１．３２４ｍｍ及び幅７０．６６２ｍｍで、壁の厚さ３ｍｍのキャビティに対して、ＴＭ１，２，０モードの共振周波数は３ＧＨｚで固定される。しかし、駆動バンチ周波数（drive bunch frequency）及びモード周波数ＴＭ３，６，０、ＴＭ５，１０，０、ＴＭ１，１４，０、ＴＭ７，２，０は変えられる。この説明として、最適なｈはシングルモードケースｆに対して２５ｍｍであり、２モードケースｆ，３ｆに対して１５ｍｍであり、３モードケースｆ，３ｆ，５ｆに対して１０ｍｍである。これは高周波数であるために起き、粒子がギャップで費やす時間の長さはＲＦ周期と比較されなければならない。時間の長さがＲＦ周期と比較できる場合、加速における損失は、粒子がギャップに存在する間に電界が変化するために起きる。従って、より高い周波数が用いられたとき、狭いギャップを用いることが有益である。しかしながら、ギャップが狭い場合、キャビティを通過することによりエネルギー利得はより小さくなる。従って、増設キャビティが、より狭いキャビティで同じ加速を得るために必要となる。粒子は、振動周期の半分より短い時間、又は波長の半分で、ギャップを通過する必要がある。
【００５２】
シングルモードのキャビティを有するシングルモードの加速器は、より大きなキャビティギャップを用い、そしてより少ないキャビティを要求するので、製造し易い。一方、上述のように、マルチモードキャビティは、シングルモードキャビティよりもより少ない露出時間を有する。
【００５３】
（壁の厚さ）
図９は、キャビティの壁の厚さを示す。２ビームがキャビティ内の開口を通ると、熱がキャビティ内で生成される。キャビティの壁の厚さは、熱を除去できるキャビティの壁の周囲に、壁が熱を伝えられるように選択されるべきである。特に、壁の厚さは２〜４ｍｍの範囲内で、例えば３ｍｍである。壁がミリメーターの厚さよりさらに薄い場合、壁はあまりにも薄くかつ弱くなる可能性がある。一方、４ｍｍをはるかに超える壁の厚さは、加速器内で空間を無駄にし始める。従って、厚さは、実用上必要な構造上の強度、空間の効果的な使用、そして、キャビティの周囲に熱を伝えられることをバランスするように選択される。
【００５４】
（離調）
例えば、２：１の横比率を有するキャビティを用いる加速器において、複数の調和関係にあるモードが、例えば図１０に示されるｆ１１０等のバンチ周波数を有する駆動ビームを駆動することによってキャビティ内で励起され得る。２ボックスキャビティは、一連の等距離モードという要求特性を享受する。
【００５５】
図１１及び図１２はそれぞれ、３つの高調波による箱型キャビティ内に存在する、電界及び磁界を示す。これらの図において、Ｔは時間を表す。従って、図１１は、Ｔ＝０で、電界はキャビティの中央にピークを有する。Ｔ＝０．３によって、ピークは消滅した。図１２は、３つの動作高調波による箱型キャビティ内の磁界を示す。Ｔ＝０で、磁界は存在しないが、Ｔ＝０．５で、磁界はキャビティの周囲の周りで高レベルに到達する。図１２の磁界は、図１１の電界と位相の不一致がある。これらの図は、電界がすぐに崩壊することを示す。
【００５６】
各ボックスの中央で、動作モードは、零磁界を有している間、最大電界に到達する。従って、共振キャビティ内の各「ボックス」の中央は、駆動ビーム及び加速ビームに対して理想的な場所であるように見える。しかしながら、加速チャネルと駆動チャネルの電界は等しい。従って、伝達比率は、高々１であり、その構造は加速器として役に立たない。
【００５７】
２つのチャネルは１の加速勾配をもたらす同じ電界を有するので、ビームのこれらの位置を選択するのは有益ではないように思われるけれども、キャビティを離調することによって伝達比を有意に増加することができる。
【００５８】
図１３ａは、損失のない離調キャビティの動作を示す。そして、損失のある離調キャビティが図１３ｂに示される。理想共振回路において、電圧と電流が互いに同調する。共振回路を作動させる場合、例えば、離調キャビティ内で、損失がないとき、駆動ビームと加速ビームの電流と電圧は９０°位相がずれている。従って、キャビティ内の電界のピークは、駆動電流バンチの通過後、４分の１周期起きる。電圧が電流より進んでいるか遅れているかは、周波数が共振周波数よりも高い又は低いか否かによって決まる。加速された粒子バンチは同調され、任意の時間で到達する。従って、駆動ビームの電圧と加速ビームの電流は同相であると同時に（その結果、駆動ビームによって加速ビームの粒子に仕事がなされる）、加速ビームの電圧と駆動ビームの電流は１８０°位相がずれている（そして、加速されたブームによって駆動ビームの粒子に仕事がなされる）。これにより、変圧比χは電流の比率αと等しくなるので、すなわち、χ＝α＝ＩＤ／ＩＡ（ここで、ＩＤは駆動ビーム電流であり、ＩＡは加速ビーム電流である）となるので、加速ビームによるエネルギー利得が駆動ビームによるエネルギー損失と等しくなる。
【００５９】
図１３ａは、駆動ビームに対する電圧が垂直に向くと同時に、電流が水平に向く、離調を示す。従って、電圧と電流とは位相がずれている。加速ビームがある時間で入射された場合、加速電流は駆動電流と同調すると同時に、加速ビームからの電圧は駆動電流と１８０°ずれている。この状態において、駆動ビームによる電界は非常に弱く、理想ケースにおいては零（zero）である。従って、駆動ビーム又は強高電流ビーム（strong high current beam）はほとんど減速しない。これに対して、駆動ビームからの電圧がキャビティに入る位置で最も高いとき、加速ビームはキャビティに同時に入るので、９０°遅れて到着する加速ビームは非常に強い電圧を受ける。加速ビームの弱い電流は、加速ビームの電圧の一部を駆動ビームに付加されるが、あまり大きくない。
【００６０】
しかしながら、実在する全てのキャビティは損失を受け、従って、位相角は、図１３ｂに示すように、若干共振はずれ（off resonance）である。この状態はほとんど、小さな減速電圧が上述の大きな加速電圧と同調することを除いて同じである。共振はずれは、電圧は電流より遅れ又は進み、離調の記号と程度により決定される。
【００６１】
駆動ビームと加速ビームは、ｖ／ｆで離間された計画的な連続粒子バンチ又は多数のバンチである。ここで、ｖは本質的に、高度に相対論的な粒子の光速の、粒子バンチの速度であり、ｆはバンチの周波数である。キャビティは、第１モードに対してはｆより大きく又はｆより小さく、マルチモードに対しては２ｆ，３ｆ，４ｆ，・・・より大きく又は小さく、すべてのモードに対してほとんど同じである離調分数Δｎｆ／ｆにより離調される。従って、キャビティはビーム周波数に関して離調される。加速ビームは、約数である整数によって、駆動ビームと異なる周波数を有してもよいことに留意されたい。従って、例えば、加速ビームは、駆動ビームの粒子バンチの２，３等ごとにのみ起きる粒子バンチを有してもよい。
【００６２】
離調の大きさを、キャビティの寸法によって制御することができる。例えば、より大きな寸法は負の離調の原因となり、より小さな離調は正の離調を提供する。所望の離調の大きさを提供するために、例えば、矩形ボックスキャビティの長さ又は円筒状のキャビティの半径を、増加又は減少してもよい。テストビームと駆動ビームの間の最適位相遅れを、離調調整によって提供することができる。
【００６３】
キャビティ損失の場合、伝達比は効率ηを乗じた電流比によって与えられる。すなわち、
【数５】
0005689076.tif 000006
ここで、モードは品質ファクターＱ、共振周波数ω、キャビティとバンチの間の周波数差Δω、及び電流間の位相差φ（ＩＤとＩＡの間の角度）を有する。現実には、品質ファクターＱは無限大ではなく、失ったエネルギーの程度を提供する。
【００６４】
離調キャビティを用いる２ビーム加速の原理は、いずれのビーム種の質量により決定されない。従って、このメカニズムを、電子又はプロトン駆動ビームのいずれかに用いられる、プロトン、μ中間子、又は重イオンの２ビーム加速に適用してもよい。
【００６５】
図１４ａ及び図１４ｂは、離調キャビティに対する、駆動ビーム中の粒子バンチと加速ビームの粒子バンチによって起こる電界を示す。図１４ａは、シングルモードキャビティの、時間（ｔ）に対するキャビティのギャップ中の電界を示し、図１４ｂは同様に、２モードキャビティの電界を示す。
【００６６】
各モードの離調調整を別々に行うことにより、駆動ビームに対する減速勾配から広がるエネルギーを部分的に補うことができる。図１４ａ及び図１４ｂは、動作モードの電界が、駆動ビーム粒子バンチ１４０１がキャビティ内のギャップを通過する時点で零（zero）に近づき、これに対して、電界が最大値に近づくと加速ビーム粒子バンチ１４０２が到達するということを示す。電界が負であると、電界は通過するバンチを減速する。従って、図１４ａ及び図１４ｂの駆動ビーム粒子バンチは減速され、一部のエネルギーを失う。電界が正であるとき、電界は通過するバンチにエネルギーの増加をもたらす。
【００６７】
例えば、図１４ｂ等、多数の高調波をサポートするキャビティに付加的な利点がある、粒子バンチが勾配に到達するとき、バンチに対して電界が不安定になる可能性がある。これは、はじめにバンチに到達する粒子がバンチの後方でのエネルギーと異なるエネルギーを受け、かつ、バンチがバンチ前後で異なる減少率を有する場合、バンチがその形状を維持しない可能性があるということを意味する。図１４ｂにおいて、１つの高調波からの電界が上昇曲線を有し、また他の高調波からの電界が下降曲線を有する時点で、駆動ビーム粒子バンチが到達するように加速器を構成してもよい。このような状況において、２つの効果は互いに補い、そして、駆動ビーム粒子バンチを安定化するのに役立つ。
【００６８】
離調の大きさは、加速器中で用いられる各キャビティ又は加速器内の一連のキャビティに対して同じでもよい。このことは、「固定離調（fixed detuning）」と呼ばれる。同じ加速器内で異なるキャビティにおいて離調、例えば、「交互離調（alternate detuning）」と呼ばれる交互に並ぶキャビティにおいて交互に並ぶ符号の離調の大きさを変化するのに用いることはまた有益である可能性がある。
【００６９】
離調を、要望通り連続する順番で、正に離調されたＭ個のキャビティと、次に負に離調されたＭ個のキャビティとを順々に実行してもよい。これは、例えば、弱い相対論的な粒子に対する加速器内に適用してもよい。
【００７０】
（キャビティセット）
図１５及び図１６は、説明に役立つキャビティセットの例示的態様を示す。図１６は、互いに隣接して配置された４つのキャビティセットを示す。例えば、共振キャビティは、共振キャビティを形成するために組み立てられた６つのピース１５０２ａ〜１５０２ｆからなる組を形成することによって製造される。６つのピースは、２つの開口１５０１が、２つのビームの進行方向に垂直に組み立てられた各壁に形成されるように形成される。これらの開口により、２つのビームがキャビティを通過することができる。駆動ビームと加速ビームは特定の開口を通過することは要求されず、また、２つのビームは特定の方向にキャビティを通過することも要求されない。上述の通り、好ましくは、２セルキャビティは金属製である。従って、６つのピースを、例えば、金属ブロックからピースをミル処理する等により、金属で形成することができる。典型的例示では、２セルキャビティのピースは銅のブロックからミル処理が行なわれてもよい。
【００７１】
図１５は、多数のキャビティが互いに隣接して配置されるように、例えば、溝付き保持デバイス（slotted holding device）（図１７の１５０３）を用いることによって、各キャビティの６つのピース１５０２ａ〜１５０２ｆが組み立てられることを示す。このことは、誤ったモデルと航跡場（wake-fields）をなくすのに役立つ。図１５は、駆動ビームと加速ビームの経路に垂直な面を有するキャビティの側面の６つのピースを示す。開口１５０１により、２つのビームがキャビティを通過することができる。類似する開口をキャビティの反対側に備え、この結果、キャビティから抜け出る２つのビームのための空間を形成する。
【００７２】
キャビティの複数部分を形成するために６つの独立した部分を個々にミル処理を行うことによって、キャビティを容易に高精度に製造することができる。
【００７３】
図１６は、隣接するキャビティの壁の間に例示的な分離を示す破線１５０５を用いた、例示的な４つのキャビティの組合せを示す。本図では、キャビティは壁を共有し、破線で分離されない。他の実施形態では、キャビティが分離する壁を含んでもよい。しかしながら、２つのビームに対する経路を形成するために、いくつものキャビティを組み合せてもよい。例えば、図１７は、例示的な８個のキャビティ１５０４からなるセットを示す。理論的には、キャビティセットは膨大な数のキャビティを含んでもよい。しかしながら、配置精度の必要性とビーム集束の必要性とのバランスを考えると、キャビティセットの長さを１ｍより短く、例えば、２０〜１００ｃｍの範囲にしてもよい。従って、一つのキャビティセットは、２つのデュアルボックスキャビティから数十個のデュアルボックスキャビティまで含んでもよい。
【００７４】
（キャビティギャップ）
図８及び図９のキャビティギャップ幅ｈを、特定の式を用いることによって決定することができる。例えば、破壊の確率は、積（Ｅｎ×Ｔ）により決定することができる。ここで、Ｔは事実上のパルス幅であり、指数ｎは２又は３でもよい。式Ｉ２とＩ３は、破壊の確率に関する潜在的情報を提供する。ここで、Ｇは加速勾配であり、Ｔは加速されたバンチ間の時間である。従って、Ｉ２とＩ３は、マルチモードキャビティ又はシングルモードキャビティの使用を通じて生じる、予定される一定量の利得を与える。
【数６】
0005689076.tif 000007
【数７】
0005689076.tif 000008
【００７５】
図１８ａ及び図１８ｂは、正方形２セルキャビティ、又は、２：１の長さ：幅の比を有し、３，９，１５ＧＨｚで動作モードを有し、厚さ３ｍｍの壁からなる共振キャビティに対する、Ｉ２とギャップ幅及びＩ３とギャップ幅の典型的例示を示す。これらの式に基づいて、式Ｉ２とＩ３を最小にするために、又は破壊の確率を最小にするために、キャビティギャップ幅を選択してもよい。最適なギャップ幅は、モードの量によって異なる。図１８ａ及び図１８ｂは、厚さ３ｍｍで、７０．６６２ｍｍ単位で１４１．３２４ｍｍの横寸法を有するキャビティに対して計算されている。２〜３の高調波に対して最適ギャップは９ｍｍであり、一方、１つの高調波に対して最適ギャップは２０ｍｍである。これらの図はまた、全体的に見て、破壊の確率は単一の高調波の実施例よりも３つの高調波に対する方が低いということを示す。しかしながら、上述した通り、２又は３モードが用いられたとき、キャビティギャップがより小さいので、３つの高調波が用いられた場合、より多くのキャビティが用いられる必要がある。
【００７６】
従って、図１８ａ及び図１８ｂは、マルチモードキャビティがシングルモードキャビティよりも有益にＩ２とＩ３を最小にするということを示す。モードにおける増加はキャビティを通過する周波数に好ましくない増加を含むので、実際には、マルチモードは４モード又はそれより少ないモードに限定されることに留意されたい。周波数が増加すると、キャビティギャップ幅は制限されなければならず、キャビティごとに受ける加速の大きさを制限する。
【００７７】
（正方形キャビティ）
正方形キャビティに対して、キャビティ本来の固有モードは調和関係にある固有周波数ωｍｎを有する。従って、側辺Ｌの正方形ボックスのＴＭｎｍ０モードに対して、正方形キャビティは、（ωｍｎＬ／πｃ）２＝ｎ２＋ｍ２の関係を有する。ここで、ｃは光速であり、（ｎ，ｍ）は（ｘ，ｙ）電界の横方向の変化に対する値である。電界は縦のｚ方向に均一にされる。ｎ＝ｍ、ωｍｎ＝√２ｎπｃ／Ｌのとき、この種のモードは、調和関係にある固有周波数を有する。所望のモードがキャビティの中央でピークとなる電界を有するという場合、偶数値のｎは変化されるべきではない。しかしながら、この種のモードで他のモードではない選択的な外部励起は、困難であり、各モードに対する別個の位相固定の高周波数源を、複雑な結合手法に加えて必要とすることもある。奇数調波モードだけの励起は、周波数ω１１＝√２πｃ／Ｌでキャビティの軸に沿って入射された一連の荷電バンチ（charge bunches）からなる駆動ビームを用いて、効果的に達成することができる。
【００７８】
（非正方形キャビティ）
正方形２ボックスキャビティは、２ビーム加速器に対する露出時間の減少を可能にする唯一の共振キャビティ寸法ではない。他の典型的例示では、中央の壁が取り除かれた２矩形（two-rectangular）ボックスキャビティを含み、各矩形は、１：１．２９１又は１：√（５／３）の長さ：幅の比を有する。従って、２ボックスキャビティの組み合わせた寸法は、２．５８２：１の横長：幅の比を有してもよい。さらに、２ボックスキャビティの組み合わせた寸法は、１：１．２９１の横長：幅の比を有してもよい。図１９ａは適切な寸法を有するシングルボックスを示し、図１９ｂは中央の壁が取り除かれた図１９ａの寸法のデュアルボックスキャビティを示す。上述の同じ長さと幅の寸法を有する正方形キャビティは、一定のモードの組は多数の高調波の動作周波数を有する。１９０１は、駆動ビームと加速ビームが通過するキャビティのチャネル又は部分である。同様に、各々が個々に１：１．２９１の比を有する２ボックスの寸法を有するキャビティに関して、ＴＭｉｉモード、例えば、ＴＭ１１−ｆ；ＴＭ１３，ＴＭ２２−２ｆ；ＴＭ３３−３ｆ，ＴＭ５１，ＴＭ４４−４ｆ；ＴＭ５５−５ｆ；ＴＭ３９，ＴＭ６６−６ｆ；ＴＭ７７−７ｆ等は、高調波のモードを有することができる。モードＴＭ２２，ＴＭ４４，ＴＭ６６は、ビーム位置で零電界を有する。従って、これらのモードはビームと相互に作用はしない。本典型的例示では、奇数高調波だけでなく、すべての高調波が動作する。従って、動作スペクトルは、ｆ、２ｆ、３ｆ、４ｆ、…を含んでもよい。
【００７９】
本実施形態では、ＴＭ１１０モードは、固有周波数ω１１＝√（８／５）πｃ／Ｌを有し、また、ＴＭｎｎ０モードはｎω１１と等しい固有周波数を有する。しかし、これらのモードの中には、奇数ｎのモードのみが、正方形キャビティと同様に、中心に位置するビームと合わさる。モードＴＭ１，２，０、ＴＭ３，９，０、ＴＭ５，１，０、ＴＭ１，１３，０、ＴＭ５，１５，０はそれぞれ、２ω１１、４ω１１、６ω１１、８ω１１、及び１０ω１１の固有周波数を有し、また中央に位置するビームと合わさる。従って、本キャビティは、スペクトル的に、正方形ボックスキャビティの例と比較して擬似モードの高密度量を有する。
【００８０】
（円筒状キャビティ）
他の実施形態は、円筒状で、軸対象のキャビティを含んでもよい。このタイプのキャビティは、正方形又は矩形のキャビティに起こる可能性がある、尖った角における電界増強を回避する。円筒状キャビティは、ファクターＱの最大化と、製造の容易化を促進する。例えば、金属製の円筒状キャビティ等の円筒状キャビティを、旋盤上で組み立てることができる。図２０ａ、図２０ｂ及び図２１は、３つの軸対象の調和関係にあるモードを有する軸対称キャビティの実施態様を示す。このキャビティは、変形円筒状ピルボックスとして明細書に言及される。通常の平面の端壁は、正弦曲線を形成するプロファイルを描く。図２０ａ及び図２０ｂはそれぞれ、変形ピルボックス型キャビティの斜視図及び断面図を示す。
【００８１】
図２１は、変形ピルボックス型キャビティの典型的例示の例示的寸法を示す。例えば、同一線上の駆動ビームと加速ビームが通過する中央のチャネル２００１は、約４ｍｍの半径を有してもよい。中央のキャビティ部分に至る湾曲２００２は、約５ｍｍの曲率半径を有するように形成される。径方向延出部２００３は、中央軸の各側面に約４６．４３ｍｍ延出することができる。径方向延出部２００３の幅は、中央軸に近い径方向延出部の最も太い部分から、径方向延出部の一方の側で１．３７ｍｍそして他方の側で１１．４２ｍｍの減少を伴い、径方向延出部の端部で約４．７５ｍｍであってもよい。平面の端壁２００４は正弦曲線のプロファイルで形成される。
【００８２】
図２２は、調和関係にある固有周波数の、１モードM１、２モードM２、３モードM３の、例示的な軸対称の、変形ピルボックス型キャビティの電界マップを示す。このキャビティの最初の３つの軸対象モードのモード固有周波数及びQファクターは、３．０００４５ＧＨｚ，５．６４５×１０３；６．００３５９ＧＨｚ，８．５２０２４×１０３；８．９９９１２ＧＨｚ，１．１２８８１×１０４である。周波数を３、６、及び９ＧＨｚに近づけるために、変形ピルボックス型実施態様をさらに変形することができる。明細書に示すように、偶数の指数を有するモードをスキップする必要なく動作するという点で有益である。これは、最初のモードを越えるモードの周波数を低くし、減少した通過時間を回避するからである。上述の通り、より高い周波数はより短い通過時間を必要とする。一連のキャビティ、又はキャビティセットは、加速器セクションを構成するのに利用できる可能性がある。
【００８３】
（集束）
粒子ビーム、例えば、駆動ビームや加速ビーム等を搬送するとき、周期的集束装置又は機構は、衝突に必要な真っ直ぐで狭い経路を持続することを確実にするのに役立つ。従来の装置は、単一ビームを集束するために構築されていた。２ビーム加速器においては、２ビームは、例えば、互いから数ｃｍに接近して位置付けられる。２つのビームが異なるエネルギーを有し、離れた領域を通過すると、異なる集束システムが離れたビームに適用される。基本的な高調波のＳ帯周波数のセクションは、各ビームを別々に集束するためにビームチャネルを分離する十分な空間を提供することができる。
【００８４】
単一ビームを集束する従来の方法は、４極磁石（“quad”）を用いるものである。４極磁石は、交互に、Ｎ極、Ｓ極、Ｎ極、Ｓ極と着磁された４極を有する。従って、４極磁石の軸では、磁界が存在しないが、中央から離れた位置では、中央に戻る迷走荷電粒子を搬送する磁界が存在する。従って、４極磁石の配置は、荷電粒子のビームを中央経路に集束することによってレンズに似たように機能する。ビームを集束するために、３つの４極磁石セットを利用することができる。
【００８５】
しかしながら、２ビーム加速器は、両方のビームが集束される必要があり、接近して位置付けられる２つのビームを有する。そして、２つのビームは４極磁石の中央を通過することができない。
【００８６】
図２３は、標準的な４極磁石に関連する問題を解決する、２ビーム加速器の例示的集束装置の態様を示す。変形４極磁石２３００の中央２３０２は、非磁性材料２３０３を備える。従って、非磁性材料２３０３を通過するビームは、標準的な４極磁石に対して上述したように、変形４極磁石２３００によって集束される。磁石の一つに形成された開口２３０４は、非磁性材料２３０５から構成される他の中央部分を含む。非磁性材料内側には、磁界を中和する、磁性材料、例えば鉄又は他の金属の内層２３０６がある。従って、変形４極磁石の中央２３０３を通過するビームは、変形４極磁石の磁界によって集束され、そして、変形４極磁石の一つの中の開口２３０４、２３０５、２３０６を通過するビームは集束する電界を受けない。
【００８７】
交互に並ぶ変形４極磁石の複数セットを、２つの粒子ビームを集束するために組み合わせて使用することができる。例えば、第１の４極磁石セットを、加速ビームを集束するために、加速ビームが中央部分２３０３を通過するように、一方、駆動ビームが４つの磁石の一つの中のチャネル２３０６を通過して磁界を受けないように構成してもよい。第２の変形４極磁石セットを、駆動ビームが駆動ビーム粒子を集束するために変形４極磁石の中央部分を通過し、一方加速ビームが、磁界から加速ビームを保護するために磁性材料のライニングで構成された変形４極磁石の一つの中の開口を通過する方法で、第１の４極磁石セットと隣り合わせて配置してもよい。変形４極磁石の開口を、４つの磁石のいずれにも配置することができる。その結果、２つのビームセットは集束される。
【００８８】
異なる変形４極磁石セットが２つのビームを集束するために使用されるとき、単一の加速器内で異なるエネルギーのビームと相互作用する変形４極磁石を選択することができる。
【００８９】
（加速器システム）
図２４は、上述したように、共振キャビティセット２４０５に、離調した駆動ビーム２４０３を送信する外部駆動ビーム源２４０１と、離調した加速ビーム２４０４を送信する外部加速ビーム源２４０２とを備える例示的加速器を示す。図７〜図９、図１５〜図１７及び図１９と関連して述べたように、共振キャビティを寸法化することができる。キャビティセット２４０５は、周囲のポンピングマニホールド（pumping manifold）２４０６を有することを示す。特に、加速器は真空源を必要とし、キャビティセットを囲むポンピングマニホールドを介して真空源を提供することができる。例えば、図１５及び図１６に示した６つのピースの間のギャップは、周囲のマニホールドに通じることができる。これにより、加速器に沿ってポンピング機構用の付加的な空間の必要性を減少する。しかしながら、ポンピングマニホールドは他の場所に置かれてもよい。
【００９０】
２つのキャビティセット２４０５は図２４に示されるが、実在する加速器はビーム線に沿って配置された多数のキャビティセットの列を含んでもよい。また、上述したように、各セットは多数の独立した共振キャビティを含んでもよい。
【００９１】
集束装置２４０７は、駆動ビームと加速ビームを集束するために、隣り合う複数のキャビティセット２４０５の間に位置付けられることができる。特に、明細書では、変形４極磁石型集束機構を使用することができる。図２４は、駆動ビーム２４０３用に３つの変形４極磁石セット２４０８と、加速ビーム２４０４用に３つの変形４極磁石セット２４０９とを示す。各変形４極磁石は４つの磁石２４１０を含み、その一つは図２３と関連して述べられたように、開口とチャネルと共に変形されている。しかしながら、所望のビームの集束量を得るために、セット中の変形４極磁石の数を変更することができる。同様に、単一の変形４極磁石又は単一の変形４極磁石セットを、２つのビームの一つを集束するために、キャビティの隣り合う複数のセット２４０５の間に配置することができる。
【００９２】
駆動ビームは加速ビームの上の位置に示されているけれども、２つのビームはいずれの位置であってもよい。さらに、以下に述べるように、駆動ビームと加速ビームは、同じ方向又は反対方向に駆動されてもよい。駆動ビームと加速ビームが反対方向に通過する場合、加速ビーム源は外部駆動ビーム加速器とキャビティセット２４０５の反対側に位置付けられる。
【００９３】
（両方向への加速）
本発明の加速装置及び加速方法の態様は、駆動ビームの速度に満たない加速チャネル中の位相速度で、いずれの方向にも粒子を加速できる離調共振キャビティを有することを含む。
【００９４】
離調の符号はすべてのキャビティにおいて同じであり、加速チャネル中の位相速度は駆動チャネルにおける値及び方向と同じ値及び同じ方向を有する。
【００９５】
しかしながら、隣のキャビティの離調符号が反対であり、構造が周期λ／４を有する場合、加速チャネル内の位相速度は反対方向の駆動チャネル内の位相速度と同値である。従って、駆動ビームの方向と反対方向に、通過するビームを加速することができる。
【００９６】
さらに、交互離調構造の周期がλを超えない場合、加速チャネル内の位相速度は、駆動チャネル内で同じ方向の位相速度よりもかなり小さい。従って、高勾配陽子２ビーム加速器（high-gradient proton two-beam accelerator）は電子駆動ビームを使用することが可能である。
【００９７】
例えば、陽子等の重粒子が電子よりもかなりゆっくりと動くので、加速チャネル内の位相速度が駆動チャネル内の位相速度よりも小さいということは重要である。従って、低い位相速度は陽子と同期するために必要である。
【００９８】
（コリニア伝播）
態様はまた、コリニア（co-linear）２ビーム加速器を含み、駆動ビームと加速ビームは同じチャネルに沿って伝播する。粒子ビームは、一連の周期的で密な（tight）バンチとしてモデル化される。この例において、減速された駆動粒子バンチと加速粒子バンチはまた、明細書において、互いに関して共線的に（co-linearly）移動する「テストバンチ（test bunches）」と呼ばれる。駆動粒子バンチとテストバンチを、例えば、テストバンチが均一に駆動粒子バンチ間に交互に配置されるように、同じ周波数で入射することができる。
【００９９】
２つのビームが共線的に伝播するとき、さらに反対方向にビームを伝播することが可能である。例えば、駆動ビームがキャビティのｚ軸方向に伝播するとき、加速ビームはキャビティのｚ軸方向に沿って前方又は後方のいずれかに伝播することができる。
【０１００】
コリニア配置を用いる加速器において、テストバンチ中の粒子は、駆動粒子バンチ中の粒子の約２倍の平均エネルギー損失を超えてはならない割合でエネルギーを得ることができる。従って、伝達比は通常、２の値を超えない。離調キャビティを使用するけれども、伝達比を加速用の実用レベルまで増加することができる。
【０１０１】
図２５は、コリニア伝播を有する例示的加速器を示す。加速器は、固有キャビティセット２５０４に、離調したコリニア駆動ビーム及びコリニア加速ビーム２５０３を送信する外部駆動ビーム源２５０１及び外部加速ビーム源２５０２を備える。外部加速ビーム源２５０２を、２つビームが同方向に又は逆方向に伝播するか否かにより、駆動ビーム源２５０１と同じ側又は反対側に位置付けることができる。共振キャビティは、例えば、図２０〜図２２に関連して述べられた変形ピルボックス型実施態様のように、軸対象のキャビティであってもよい。２つのキャビティセット２５０４は図２５に示されるが、実在する加速器はビーム線に沿って配置された多数のキャビティセットの列を含んでもよい。また、上述したように、各セットは多数の独立した共振キャビティを含んでもよい。
【０１０２】
集束装置２５０５は、駆動ビームと加速ビームを集束するために、隣り合う複数のキャビティセット２５０４の間に位置付けられることができる。特に、４つの磁石２５０６を有する４極磁石型集束機構を使用することができる。
【０１０３】
（充填時間の減少）
離調キャビティの励起は、同調されたキャビティに関して、通常の指数関数的なキャビティ電界の増加が重ね合わされた離調周波数の間隔で干渉ビートを有することを除き、充填時間（filling time）を含む。キャビティ充填時間の間に消えるエネルギーは効率の悪さを表し、そのエネルギーがなくなることは多くの用途に有益である。
【０１０４】
本発明の実施態様は、効果的なビーム充填時間を減少するために、ビームの振幅又は位相を変更することを含む。駆動電流Ｉは周波数ωで、キャビティ固有周波数ω０＝√（１／ＬＣ）からわずかに離調される。ここで、Ｌは、例えばボックスキャビティの長さであり、Ｃは＿である。わずかな離調に対して、Δω＝ω−ω０である。
【０１０５】
一の実施態様では、メイン電流Ｉ２に先立つ先行パルス電流（prepulse current）Ｉ１を注入することによって、充填時間を減少することができる。例えば、図２７ａは、ｔ＝−ｔ１でパルス幅Ｔとともに上昇し、電圧Ｖ１を誘導し、ｔ＝０でステップパルス電流Ｉ２が続く例示的先行パルス電流Ｉ１を示す。Ｖ１は次式で表される。
【数８】
0005689076.tif 000009
【０１０６】
ここで、
【数９】
0005689076.tif 000010
となり、品質ファクターＱは、Ｑ＝Ｒ／ω０となる。Ｌ＝ＲＣω０である。Ｉ１を、
【数１０】
0005689076.tif 000011
となるように選択することができる。Ｉ１とＩ２は位相固定され、先行パルス幅は、整数に相当するｎにより、Ｔ＝ｎπ／Δωとしてもよい。
【０１０７】
他の実施態様では、第１のステップ電流Ｉ１の振幅又は位相を、次のステップ電流Ｉ２に対して、図２６ｂ及び図２６ｃに示すように調節することができる。図２６ｂで示すように、第１の電流Ｉ１がＩ１＝Ｉ２／（１±ｅ−Ｔ／τ）となるように、Ｉ１はＩ２と位相固定され、ステップ幅Ｔ＝２ｎπ／ωをΔω＝ω／ｍで離調するように使用することができる。
【０１０８】
図２６ｃに示すように、位相を（２Δω−ω）Ｔに変化させることができる。ここで、Ｉ１＝Ｉ２ｅｉ（２Δω−ω）Ｔとなるように、定数ΔωＴ＞π／６を有するｅ−Ｔ／τ＝２ｃｏｓΔωＴが成り立つ。
【０１０９】
（パラメータ間のバランス）
図２７ａ〜図２７ｄは、変更電流率
【０１１０】
0005689076.tif 000012
【０１１１】
（以下、Ｓ（▼スティグマ▲）と表記する。）と正規化された離調Δの各々の関数として、効率ηと、テスト粒子によって見られる正規化された勾配εと、伝達比Ｔとの相互関係を示す。図２７ｄは、Ｔとηの関数としてεを示す。
【０１１２】
図２７ａと図２７ｂは、効率と加速勾配εの間のトレードオフを示す。図２７ａは、効率ηが大きな離調Δと大きな電流率Ｓ（▼スティグマ▲）に対して大きいことを示し、一方、図２７ｂは、加速勾配εが約１である離調ファクターΔによりピークに達し、電流率Ｓ（▼スティグマ▲）が増加すると下降することを示す。図２７ｃは、伝達比Ｔが電流率Ｓ（▼スティグマ▲）の強い関数であり、電流率Ｓ（▼スティグマ▲）が増加すると減少することを示し、しかし、伝達比Ｔが離調Δの弱い関数であり、離調Δが小さい場合を除いて、この場合Ｔも小さい。図２７ｄは、伝達比Ｔと効率ηが増加すると、加速電界εが下降することを示す。従って、図２７ａ〜図２７ｄは、加速を最適化するために、これらのパラメータ間でトレードオフがあることを示す。これらの関係は、キャビティデザインを最適化することに関して指針を与える。
【０１１３】
これらの関係は、特定のアプリケーションに対する構造デザインの最適化に関して指針を与える。基本パラメータのキャビティは、加速されたテスト粒子によって見られる電界振幅ＥＴをピークに達せさせ、駆動ビームと加速ビームとの間の出力転送効率ηをピークに達せさせる。そして、伝達比Ｔを製造及び性能を最適化するために変更することができる。これらのパラメータは、キャビティの離調δ＝Δω／ωと、キャビティの品質ファクターＱと、２つのビーム間の変更電流率Ｓ（▼スティグマ▲）とにより決定される。各ビームはビーム電流及び正規化された粒子速度βによって唯一特徴付けられ、ビームエネルギー又はビーム粒子体積によって特徴付けられないということに留意することは重要である。
【０１１４】
（例示的電子加速器）
例示的電子加速器は、ｎ＝１に対する固有周波数であるｎ次高調波のＴＭ０ｎ０類似モードを引き起こす、図２０〜図２２に示したキャビティと類似の銅により変形ピルボックス型キャビティを用いることができる。駆動ビームは、例えば１００．８Ａであり、加速ビームは、例えば４．８Ａとしてもよい。１４ＭＷの平均出力を有する３．０ＴｅＶのｃ．ｏ．ｍ．コライダーの場合、１．５ＴｅＶの各加速ビームに対して、平均電流は９．３３×１０−６Ａである。バンチの周波数は３．０ＧＨｚ、ガウスのバンチ長さは１５ｐｓ（４．５ｍｍ）、キャビティギャップ幅は３．６５ｍｍ、そして、キャビティ間の壁の厚さは１ｍｍとすることができる。１５０ＭＶ／ｍを超える加速勾配は、伝達比１３：１及びビーム−ビーム出力転送効率６０％を有する、キャビティの離調Δω／ω＝０．９×１０−３に対して予測される。従って、２．５ＧｅＶの駆動ビームは、約２００ｍの有効長を有するセクションで、約３０ＧｅＶで加速ビームエネルギーを増加させるはずである。５０個のセクションは、１０ｋｍの総有効長で、１．５ＴｅＶに加速される。壁の損失は小さい。図２８は、付加的な例示的パラメータを示す。
【０１１５】
駆動ビームと加速ビームとの間の相対位相を変更する必要があることを除いて、関連する陽電子加速器を同じ方法で提供することができる。
【０１１６】
（例示的陽子加速器）
交互に並んだ離調キャビティ構造は、高電流電子駆動ビームと反対方向のlow-βの陽子ビームとの間で同期を提供することができる。例えば、中高変圧比を示すコリニア２ビーム加速器を用いることができ、コリニア２ビーム加速器は、効率を最大化し、費用を最小化する高出力電子駆動ビーム用のビームエネルギーを選択するときに柔軟性を提供する。例えば、１０MW、１．０GｅＶの陽子駆動加速器を用いることができる。図２９〜図３１は、そのような陽子加速器の例示的実施態様のパラメータを示す。電子駆動電流は２５．２Ａ、陽子加速電流は２．４Ａ、２．４ＧＷの陽子パルス出力を与え、４．２×１０−３の負荷ファクターが１０ＭＷの平均ビーム出力を与える。バンチの周波数を３．０ＧＨｚとし、がススバンチを１５ｐｓ長としてもよい。表の説明文に記載されたように、キャビティの周波数を、Δω／ω値で交互に離調することができる。駆動バンチは８．４ｎＣであると同時に、陽子のバンチは各々０．８ｎＣ、すなわち５×１０９陽子／バンチである。
【０１１７】
これらの図は、合理的に効率的な常伝導型１０ＭＷ、１ＧｅＶ陽子駆動加速器は、約５０ｍ未満の実効長を有し、５０ＭｅＶの陽子入射器（proton injector）と電子駆動線形加速器に対する空間を含まないことを可能にするということを示す。
【０１１８】
（利点とＣＬＩＣとの比較）
マルチモードキャビティの利点と、例えばＣＬＩＣ等の他の粒子加速器との比較に関する予測は、発明の名称を"MULTI-MODE, MULTI-FREQUENCY, TWO- BEAM ACCELERATING STRUCTURE"とする米国仮出願第６１／１４６，５８１号と、"Two-Beam, Multi-Mode Detuned Accelerating Structure" by S. Yu. Kazakov, S. V. Kuzikov, V.P. Yakolev, and J. L. Hirshfield, 2009 American Institute of Physics 978-0-7354-0617-0/09, Advanced Accelerator Concepts 13th Workshop, pages 439-444に記載されており、それらの内容全体は参照することにより明細書に組み込まれる。
【０１１９】
２ビーム、マルチモード、離調型加速器構造（two-Beam, Multi-Mode Detuned Accelerating Structure）の態様は、ＣＬＩＣの加速器構造に相当する結果を提供する。表１は、http://clic-meeting.web.cern.ch/clic-meeting/clictable2007.htmlで公開されたＣＬＩＣのパラメータを記載したもので、その内容全体は参照することにより明細書に組み込まれる。
【０１２０】
【表１】
0005689076.tif 000013
【０１２１】
従って、ＣＬＩＣデザインに対して、出力効率ηＰ＝（ＩＡ×ＵＡ）／（ＩＤ×ＵＤ）＝０．３４４、エネルギー効率ηＱ＝（ＱＴＡ×ＵＡ）／（ＱＴＤ×ＵＤ）＝０．２２２、伝達効率ηＴ＝０．６５×０．２７７＝０．１８０、そして、変圧比χ＝６２．５／２．１４２＝２９．１８である。そして、効率は、１８〜３４％の範囲に収まる。
【０１２２】
次表は、明細書に記載された加速器構造の態様がＣＬＩＣパラメータと比較した有利な結果を提供することを示す。例えば、シングルモード、デュアルモード、トリプルモードの２ボックスキャビティは、表２に示されるパラメータを提供する。
【０１２３】
【表２】
0005689076.tif 000014
【０１２４】
ここで、Ｇは加速勾配、Ｑｄは駆動バンチの荷電、Ｉｄｒｉｖｅは駆動電流、Ｉａｃｃは加速電流、Ｑａｃｃは加速バンチの荷電、χは変圧比であり、効率は駆動ビームから加速ビームへのエネルギー変換を測定し、Ｅ＿ｍａｘはキャビティ内の任意の位置で起きる最大電界であり、そして、ｄｆ１／ｆ１は比例離調を測定した。
【０１２５】
３つに具体例で示されるように、効率はＣＬＩＣの範囲の値以上である。従って、本発明の実施態様は、シングルモードキャビティ、デュアルモードキャビティ、トリプルモードキャビティとして構成されると、ＣＬＩＣの効率に匹敵又はその効率を超える。従って、トリプルモードキャビティは露出時間のさらなる減少を提供することができるのに対して、シングルモードキャビティでさえ、高電界への露出を顕著に減少するとともに必要な効率を提供する。同様に、Ｑｄ＝３３．６ｎＣ、Ｇ＝１００ＭＶ／ｍで変圧比が、ＣＬＩＣの変圧比に匹敵し又はその変圧比より優れている。
【０１２６】
隣り合うチャネルを通過する２つのビームは、２つのビームの一方が他のビームを乱す航跡場をもたらし、ビームが経路からそれることを引き起こすと懸念されるかもしれない。しかしながら、"Two-Beam, Multi-Mode Detuned Accelerating Structure" by S. Yu. Kazakov, S. V. Kuzikov, V.P. Yakolev, and J. L. Hirshfield, 2009 American Institute of Physics 978-0-7354-0617-0/09, Advanced Accelerator Concepts 13th Workshop, pages 439-444にさらに詳細に記載されているように、駆動ビームの横方向航跡場が加速ビームに悪影響を及ぼさないように、駆動ビームからの短距離横方向航跡場をかなり弱める。
【０１２７】
ＣＬＩＣについて言及するけれども、本発明の態様を、コライダーに用いられる態様の域を超えて、粒子加速器に利用することができる。例えば、粒子ビームの加速はまた、内科治療及び原子力発電に利用される可能性もある。強い陽子ビームの生成は、研究目的だけでなく、実用的な目的のために利用される可能性がある。例えば、科学研究用の衝突の域を超えて、実用用途に陽子ビームを利用するために、電子ビームのエネルギーを陽子ビームに入れるかもしれない。陽子ビームを陽子線癌治療の一部、臨界前の原子炉用の陽子源、又は、放射性廃棄物を処理する反応器用の陽子源として利用することができる。他の典型的例示として、強い粒子ビーム又は強い短Ｘ線を、分子調整用又は遺伝子構造の変更用に利用することができる。例えば、上記の目的のために、本発明の態様を用い、高品質電子ビームを創り出すことができる。
【０１２８】
その上、説明された態様は、特定のタイプの粒子加速器に限定されない。原理は、陽子、電子等の加速器に、同様に適用できる。
【０１２９】
さらに、用語「又は（or）」は、特段の定めがない又は内容から明らかでない限り、排他的な「or」よりもむしろ包括的な「or」を意味することを意図している。不定冠詞「ａ」及び「ａｎ」は、本明細書及び特許請求の範囲に使用される場合、一般的に、特段の定めがない又は内容から単数形であることが明らかでない限り、「１又はそれ以上」を意味する。
【０１３０】
様々な実施態様が、多くの装置、構成要素、モデュール等を含むシステムに関して示される。図と関連して説明された、付加的な装置、構成要素、モデュール等が様々なシステムに含まれ、及び／又は、装置、構成要素、モデュール等すべてが含まれないということが理解されるだろう。また、これらの取り扱い方の組合せを利用することができる。
【０１３１】
上記開示は例示的態様及び／又は実施形態を説明すると同時に、様々な変更及び変形が特許請求の範囲によって規定され、記載された態様及び／又は実施形態の範囲から離れることなく行うことができることに留意すべきである。さらに、記載された態様及び／又は実施形態の要素が単数形で記載されているけれども、単数形に限定することが明確に言及されていなければ、複数形も考慮される。さらに、特に明記しない限り、態様及び／又は実施形態の全部又は一部を他の態様及び／又は実施形態の全部又は一部に利用することができる。
【図３ａ】
0005689076.tif 000017
【図３ｂ】
0005689076.tif 000018
【図４ａ】
0005689076.tif 000019
【図４ｂ】
0005689076.tif 000020
【図４ｃ】
0005689076.tif 000021
【図４ｄ】
0005689076.tif 000022
【図４ｅ】
0005689076.tif 000023
【図４ｆ】
0005689076.tif 000024
【図５】
0005689076.tif 000025
【図６ａ】
0005689076.tif 000026
【図６ｂ】
0005689076.tif 000027
【図７】
0005689076.tif 000028
【図８】
0005689076.tif 000029
【図１５】
0005689076.tif 000030
【図１６】
0005689076.tif 000031
【図１７】
0005689076.tif 000032
【図１９ａ】
0005689076.tif 000033
【図１９ｂ】
0005689076.tif 000034
【図２０ａ】
0005689076.tif 000035
【図２０ｂ】
0005689076.tif 000036
【図２１】
0005689076.tif 000037
【図２２】
0005689076.tif 000038
【図２６ａ】
0005689076.tif 000039
【図２６ｂ】
0005689076.tif 000040
【図２６ｃ】
0005689076.tif 000041
【図１】
0005689076.tif 000042
【図２】
0005689076.tif 000043
【図９】
0005689076.tif 000044
【図１０】
0005689076.tif 000045
【図１１】
0005689076.tif 000046
【図１２】
0005689076.tif 000047
【図１３ａ】
0005689076.tif 000048
【図１３ｂ】
0005689076.tif 000049
【図１４ａ】
0005689076.tif 000050
【図１４ｂ】
0005689076.tif 000051
【図１８ａ】
0005689076.tif 000052
【図１８ｂ】
0005689076.tif 000053
【図２３】
0005689076.tif 000054
【図２４】
0005689076.tif 000055
【図２５】
0005689076.tif 000056
【図２７】
0005689076.tif 000057
【図２８】
0005689076.tif 000058
【図２９】
0005689076.tif 000059
【図３０】
0005689076.tif 000060
【図３１】
0005689076.tif 000061